(57)【要約】【課題】スクリーンの振動を抑制して、スクリーンやストレーナ本体、キャップの損傷を確実に防止すると共に、組立性やメンテナンス性が良好であり、経済性にも優れたストレーナ及びストレーナ用スクリーンの製造方法を提供する。【解決手段】筒状のスクリーン３をストレーナ本体１に着脱自在に収納するストレーナ１である。前記ストレーナ本体１に収納するスクリーン３の端部の双方若しくは何れか一方に、ゴムや樹脂などの弾性材料から成るディッピング層１０を設けている。前記スクリーン３は、肉厚方向に多数の貫通孔７ａを形成した筒状体７から成り、当該スクリーン３の端部内外面を被覆するディッピング層１０は、前記貫通孔７ａを介して一体的に形成される。【選択図】          図１
2006326413.tif 000002
【特許請求の範囲】
【請求項１】
筒状のスクリーンをストレーナ本体に着脱自在に収納するストレーナにおいて、前記ストレーナ本体に収納するスクリーンの端部の双方若しくは何れか一方に、ゴムや樹脂などの弾性材料から成るディッピング層を設けたことを特徴とするストレーナ。
【請求項２】
前記スクリーンは、肉厚方向に多数の貫通孔を形成した筒状体から成り、当該スクリーンの端部内外面を被覆するディッピング層は、前記貫通孔を介して一体的に形成される請求項１に記載のストレーナ。
【請求項３】
前記スクリーンの貫通孔は、プレス加工により形成される請求項１又は２に記載のストレーナ。
【請求項４】
ストレーナ本体に着脱自在に収納されるストレーナ用スクリーンの製造方法において、予熱したスクリーンをゴムや樹脂などの弾性材料が収容されたディッピング槽に浸漬して、当該スクリーンの端部にディッピング層を形成することを特徴とするストレーナ用スクリーンの製造方法。
【請求項５】
前記ディッピング層を乾燥・固化した後、ディッピング層の表面にウレタン等のコーティングを施した請求項４に記載のストレーナ用スクリーンの製造方法。
【発明の詳細な説明】
【技術分野】
【０００１】
本発明は、各種配管ラインを流れる水・油・ガス・空気・蒸気等の流体中の異物やゴミを分離・排除するためのストレーナ及びストレーナ用スクリーンの製造方法に関する。
【背景技術】
【０００２】
この種のストレーナは、流体中の異物やゴミを濾過するスクリーンを内蔵し、このスクリーン内に溜まった異物やゴミを、ストレーナ本体を配管に接続したままの状態で排除し、且つ、清掃できる構造であり、Ｙ形ストレーナなどが広く用いられている。例えば、実用新案登録第３００６３４号公報には、ストレーナ本体の内外に樹脂層を被覆して耐食性を確保したストレーナが開示されており、流体中の異物を捕捉するストレーナ管は、ストレーナ本体及びストレーナ本体に固定される蓋部材との嵌合により、ストレーナ本体内に配置されている（以下、特許文献１という。）。
【０００３】
特許文献１をはじめ、Ｙ形ストレーナは、筒状のスクリーンを配管の下流側斜め方向からストレーナ本体に差し込み、キャップにより押さえて固定する構造であるため、ストレーナ本体及びキャップとスクリーンの間には、それぞれ製造上の公差が必要であるところ、その公差が隙間となり、ストレーナ内の流体圧やスクリーン内の乱流や渦流の発生によりスクリーンが振動してしまう。この振動によって、スクリーンが破損したり、ストレーナ本体やキャップのライニング面が損傷するという問題を有していた。
【０００４】
例えば、対策手段として、ストレーナ本体やキャップに当接するスクリーンの端部、ストレーナ本体の当接部位、及びキャップの当接部位をそれぞれ精度良く加工処理して、極力隙間を減少することも考えられる。また、特許文献１に示すように、スクリーンの端部外周面に補強リングを設けることや、嵌合面や当接面にゴムや樹脂等のシール材を取付けて、隙間をなくすようにすることも考えられる。
【特許文献１】実用新案登録第３００６３４号公報
【発明の開示】
【発明が解決しようとする課題】
【０００５】
しかしながら、これら対応手段には、次に示すような問題点を有していた。即ち、ストレーナ本体やキャップとスクリーンの嵌合部や当接面同士が接触する面を高精度に加工処理するためには、それだけ加工工数が増えてコストアップの要因となる。しかも、各部品の製造上の公差を厳しく管理し、隙間を小さいものとすることは、ストレーナ本体へのスクリーンの取付作業を困難にする。
【０００６】
また、スクリーンの端部外周面に補強リングを設けることや、嵌合部や当接面にゴムなどの弾性材料を設けることは、部品点数が増えることになり、コストアップの要因となる。しかも、ストレーナの使用中に、流体圧やスクリーン内の乱流や渦流などの現象によって、これら部品が下流へ流出してしまうおそれがある。また、清掃などの理由からスクリーンを着脱する際には紛失するおそれもある。
【０００７】
本発明は、上記の課題点に鑑み、鋭意研究の結果開発に至ったものであり、その目的とするところは、スクリーンの振動を抑制して、ストレーナ本体やキャップの損傷を確実に防止すると共に、組立性やメンテナンス性が良好であり、経済性にも優れたストレーナ及びストレーナ用スクリーンの製造方法を提供することにある。
【課題を解決するための手段】
【０００８】
上記の目的を達成するため、請求項１に係る発明は、筒状のスクリーンをストレーナ本体に着脱自在に収納するストレーナにおいて、前記ストレーナ本体に収納するスクリーンの端部の双方若しくは何れか一方に、ゴムや樹脂などの弾性材料から成るディッピング層を設けたストレーナである。
【０００９】
請求項２に係る発明は、前記スクリーンは、肉厚方向に多数の貫通孔を形成した筒状体から成り、当該スクリーンの端部内外面を被覆するディッピング層は、前記貫通孔を介して一体的に形成されるストレーナである。
【００１０】
請求項３に係る発明は、前記スクリーンの貫通孔は、プレス加工により形成されるストレーナである。
【００１１】
請求項４に係る発明は、ストレーナ本体に着脱自在に収納されるストレーナ用スクリーンの製造方法において、予熱したスクリーンをゴムや樹脂などの弾性材料が収容されたディッピング槽に浸漬して、当該スクリーンの端部にディッピング層を形成するストレーナ用スクリーンの製造方法である。
【００１２】
請求項５に係る発明は、前記ディッピング層を乾燥・固化した後、ディッピング層の表面にウレタン等のコーティングを施したストレーナ用スクリーンの製造方法である。
【発明の効果】
【００１３】
請求項１に係る発明によると、ストレーナの使用中、ストレーナ内に発生する流体圧の影響や、スクリーン内の乱流・渦流等から受ける衝撃は、弾性材料から成るディッピング層によって効果的に吸収されるので、スクリーンが径方向や長手方向へ振動することはなく、スクリーンの装着状態を確実に維持することが可能となる。これにより、従来から問題であったスクリーンの衝突によって、スクリーンが破損したり、ストレーナ本体やキャップのライニング面が損傷するという問題を改善することが可能になった。しかも、組立性やメンテナンス性が良好であり、従来のように、ストレーナ本体やキャップとの嵌合部位にシール部材を設ける必要がないので経済性にも優れ、長期に亘って安全に使用できるストレーナの提供が可能となる。更には、スクリーンの真円度や真直度の誤差や、ストレーナ本体やキャップとの製造上の公差（隙間）に関係なく、スクリーンの振動を抑制することが可能である。
【００１４】
請求項２に係る発明によると、ディッピング層がスクリーンの貫通孔に係止された状態となるので、ストレーナの使用中、ストレーナ内に発生する流体圧の影響や、スクリーン内の乱流・渦流等から受ける衝撃によって、スクリーン表面からディッピング部が剥離することはなく、長期に亘って、その被覆状態が維持される。
【００１５】
請求項３に係る発明によると、加工が容易であるので、実施に応じて、スクリーンの貫通孔を所望の孔径に形成することができ、製造コストを更に低減することができる。
【００１６】
請求項４に係る発明によると、スクリーンの所望の位置にディッピング層を形成することが可能であり、しかも、本発明によれば、このディッピング層を所望の厚みに調整できるので、スクリーンの所望位置に均一なディッピング層を形成しうるストレーナ用スクリーンの製造方法として提供可能である。
【００１７】
請求項５に係る発明によると、スクリーン表面からのディッピング層の剥離防止を確実なものとすると共に、優れた耐食性を図ることが可能となる。
【発明を実施するための最良の形態】
【００１８】
本発明におけるストレーナ及びストレーナ用スクリーンの製造方法について、その実施形態を図面に基づいて説明する。図１は、本発明におけるストレーナの一例を示した縦断面図である。図中１は鋳鋼、青黄銅、ステンレス、樹脂等の材料で成形したＹ形のストレーナ本体である。このストレーナ本体１には、配管の下流側斜め方向に収納筒部２を突設しており、この収納筒部２に筒状のスクリーン３を装着し、例えば、ストレーナ本体１と同材料で成形したキャップ４を被蓋して固定する構造である。なお、ストレーナ本体１の上流側（一次側）５と下流側（二次側）６には、フランジ式の接続部を設けているが、その他の接続方式であっても良く、また、本実施形態では、Ｙ型の鋳鉄製ストレーナに適用して説明するが、その他の材料・形状・構造から成るストレーナ、例えば、Ｕ型ストレーナにも適用可能である。
【００１９】
本例に示すスクリーン３は、両端が開口された筒状を呈し、肉厚方向に多数の貫通孔７ａを形成したステンレス製の筒状体７から成る。貫通孔７ａは、プレス加工により金属板を肉厚方向に打ち抜いて形成される。この筒状体７の内周面にはステンレス製の網目状メッシュ８が配置され、このメッシュ８の内周面にステンレス製の環状帯９を嵌合させて、筒状体７の内周面に固定されている。本例において、筒状体７は、メッシュ８の外周に位置して、当該メッシュ８を流勢から保護して変形を防ぐように機能する。メッシュ８は、流体中の異物を捕捉しうる網目状を呈しており、網目の粗さは捕捉が必要な異物の大きさに合わせて変えることができる。スクリーン３が筒状体７のみから構成される場合には、貫通孔７ａの孔径を選定し、筒状体７自体に流体中の異物を捕捉する機能を具備させる。環状帯９は、前記メッシュ８を筒状体７に固定する部材であり、スポット溶接により、メッシュ８を介して筒状体７に固定されている。
【００２０】
前記スクリーン３のストレーナ本体１に当接する先端部３ａと、キャップ４に当接する後端部３ｂの双方には、ゴム或は樹脂などの弾性材料から成るディッピング層１０を設けている。このディッピング層１０は、スクリーン３の振動を抑制するように機能するものであり、ストレーナ１内に発生する流体圧や、スクリーン３内の乱流・渦流等から受ける衝撃を効果的に吸収して、スクリーン３の装着状態を確実に維持するものである。
【００２１】
図２は、図１におけるＡ部の断面拡大斜視図である。同図に示すように、スクリーン３の端部内外面を被覆するディッピング層１０は、筒状体７の貫通孔７ａ（本例では一列目に位置する貫通孔７ｂ）を介して一体的に形成されており、これにより、ディッピング層１０は、貫通孔７ｂに係止された状態となるので、外力に影響されることなく、スクリーン（金属面）から剥離し難い構造となっている。しかも、本例で示すディッピング層１０は、筒状体７の内周面に設けたメッシュ８の端部を充填した状態で形成されているので、ディッピング層１０がメッシュ８にも係止された状態となり、更に優れた剥離防止効果が発揮される。また、本発明は、筒状体７のみから構成されるスクリーン３や、メッシュ８のみから構成されるスクリーンにも適用され、実施に応じて任意である。
【００２２】
ストレーナ本体１の収納筒部２にスクリーン３を装着するには、キャップ４を取り外した状態で、スクリーン３の先端部３ａをストレーナ本体１の嵌合部１ａに向けて挿入し、次いで、キャップ４を収納筒部２の開口端部に固定する。本例ではボルト・ナット止め方式を採用するが、螺合方式などであっても良い。図示しないボルト・ナットを徐々に締め付けていくと、スクリーン３はストレーナ本体１の内部側に押圧され、スクリーン３に設けたディッピング層１０の軸方向端面１０ａがやや押し潰された状態で、ストレーナ本体１の嵌合部１ａに圧着する。また、ボルト・ナットを更に締め付けると、収納筒部２の開口端部にキャップ４が固定され、スクリーン３に設けたディッピング層１０の軸方向端面１０ａがやや押し潰された状態で、キャップ４の嵌合部４ａに圧着する。従って、筒状のスクリーン３の真円度や真直度の誤差や、ストレーナ本体１やキャップ４との製造上の公差（隙間）に関係なく、ディッピング層１０の弾性により、スクリーン３の振動を確実に抑制する。スクリーン３の装着状態は確実に維持され、スクリーン３からストレーナ１の二次側へゴミ等の異物が流出することもない。
【００２３】
なお、スクリーン３に設けたディッピング層１０の外側面１０ｂと、ストレーナ本体１の嵌合部１ａ或いはキャップ４の嵌合部４ａとの間には、後述するスクリーン３の着脱を容易とするため、スクリーン３が周方向に回転可能な程度の僅かな隙間が形成されるよう設定している。このように隙間を形成しているものの、ストレーナを使用中、万が一、スクリーン３の位置が径方向にずれても、嵌合部１ａ，４ａにはディッピング層１０の外側面１０ｂが当接するため、この部位を損傷することがない。
【００２４】
図３は、ストレーナの他例を示した部分拡大断面図である。同図に示すように、スクリーン３の外周面には、スポット溶接により、スクリーン落下防止用ピン１１が突設されている。例えば、清掃などの理由からキャップ４を取り外す場合、スクリーン３がストレーナ本体１から滑り落ちようとするが、当該ピン１１がストレーナ本体１の開口内周面に設けた環状突部１２に係止されて、スクリーン３の脱落を防止する構造となっている。スクリーン３を着脱する場合には、スクリーン３を周方向に回転し、環状突部１２の軸方向に設けた切欠部１２ａにスクリーン落下防止用ピン１１を位置合わせることで、スクリーン３を容易に着脱させることができる。
【００２５】
上述のように、スクリーン３は、ディッピング層１０を介してストレーナ本体１やキャップ４に支持されるので、ストレーナ１内の流体圧やスクリーン３内の乱流や渦流などに影響されることなく、スクリーン３はその装着状態を確実に維持する。スクリーン３の振動を抑制したことで、ストレーナ本体１やキャップ４のライニング面の損傷を防ぐことができる。また、スクリーン３の着脱容易性の確保の観点から、ディッピング層１０の外側面１０ｂとストレーナ本体１やキャップ４の嵌合部１ａ，４ａとの間に僅かな隙間を設けた場合でも、スクリーンの振動は確実に抑制される。
【００２６】
次に、本発明におけるストレーナ用スクリーンの製造方法について説明する。図４は、ディッピング処理前のスクリーンの一例を示した断面図である。筒状体７は、肉厚方向に多数の貫通孔７ａを形成した金属板を筒状に丸め、合わせ目をスポット溶接することにより形成する。ストレーナ本体１やキャップ４との嵌合部位は、通水の必要がないことから貫通孔７ａは設けておらず、嵌合に耐え得る強度が確保されている。具体的一例を示すと、呼び圧力１０Ｋ、呼び径３５０ｍｍのストレーナ１に対し、筒状体７の外径はφ３５０ｍｍ、板厚は約２ｍｍ、貫通孔径はφ１０ｍｍとする。
【００２７】
網目状を呈したメッシュ８を筒状に丸め、合わせ目をスポット溶接する。本例で示すメッシュ８は、１インチの長さに４０個の孔を形成したもの（４０メッシュ）を採用しており、メッシュ８の網目には後述するディッピング液が浸透するが、２００メッシュ程度の目の細かさでも支障なくディッピング液が浸透する。
【００２８】
前記メッシュ８の内周面に環状帯９を配置した後、スポット溶接によりメッシュ８を挟んで筒状体７に固定される。具体的一例を示すと、環状帯９の板厚は約１ｍｍとする。環状帯９には、溶接による残留応力により拡径する力が働くものの、本例で示す環状帯９はメッシュ８の内周面に配置されるため、この拡径力がメッシュ８を筒状体７側へ押圧するように作用し、結果、メッシュ８の強固な保持が実現される。また、万が一、環状帯９が外れてもメッシュ８内に捕捉され、下流側に流出するおそれはない。なお、図示しないが、止むを得ず、環状帯をメッシュの外周面に配置する構造であっても、ディッピング層を形成したスクリーンの先端部とストレーナ本体の嵌合部との隙間、並びにスクリーンの後端部とキャップの嵌合部との隙間は極めて微量であり、環状帯が外れても下流側に流出するおそれはない。
【００２９】
製造されたスクリーン３は、約１４０℃に予熱される。これは、後工程であるディッピング処理において、予熱されたスクリーン３をゴム或は樹脂などの弾性材料が溶融したディッピング槽に浸漬すると、ディッピング液の粘性が低くなって加硫が進み、ディッピング層１０の厚みを均一に調整し易くなるためである。
【００３０】
予熱した後、ディッピング処理を行う。先ず、スクリーン３の一方の端部３ｂ（３ａ）を常温のディッピング液に浸漬する。ゴム或は樹脂などの弾性材料を溶融してディッピング液とするが、好ましくは、衝撃吸収力に優れた弾性材料（例えば、ＮＲラテックス）を選定すると良い。スクリーン３の浸漬部位は、ストレーナ本体１やキャップ４との嵌合部位はもとより、最も端部側である一段目の貫通孔７ａに係る位置まで行う。この位置調整は、ディッピング槽に対して吊り下げたスクリーン３の上下位置を調整することにより行う。筒状体７の金属面とディッピング液との密着性は高くないが、貫通孔７ａにもディッピング液が浸入することで、図２に示すように、筒状体７の内周面と外周面のディッピング層１０が貫通孔７ａを介して一体化され、スクリーン３の端部内外面に確実に被覆固着される。例えば、二段目の貫通孔７ｃに係る位置までディッピング層１０を形成して、ストレーナ１内の流体圧やスクリーン３内の乱流や渦流などの影響による金属面からの剥離を防ぐ効果を更に具備させるようにしてもよい。本例ではディッピング層１０の厚みを約１．５ｍｍとしており、スクリーン３をストレーナ本体１に収納した状態で、スクリーン３の軸方向端面のディッピング層１０が、約０．５ｍｍ程度、押し潰されるように設定している。
【００３１】
図２に示すように、筒状体７の内周面にメッシュ８を配置した構造のスクリーン３では、筒状体７と環状帯９の間、即ち、メッシュ８の端部の網目にもディッピング液を浸透させることで、スクリーン３へのディッピング層１０の固着はより強固なものとなる。また、図３に示すように、スクリーン３の外周面にスクリーン落下防止用ピン１１を設けた場合には、このスクリーン落下防止用ピン１１にもディッピング層１０を形成することで、スクリーン３の着脱時にスクリーン落下防止用ピン１１と環状突部１２との接触による損傷を防ぐことができる。
【００３２】
次いで、スクリーン３をディッピング槽から引き上げて、ディッピング層１０を乾燥・固化させる。また、固化したディッピング層１０の表面にウレタンなどのコーティング処理を施してもよい。これは、ディッピング層１０の剥離防止を確実なものとすると共に、優れた耐食性を確保するためである。コーティング厚は数十ミクロン（実測値約４０μｍ）である。本例のように、スクリーン３の両端部にディッピング層１０を形成する場合には、上述した工程をスクリーン３の他方の端部３ａ（３ｂ）にも同様に行い、ディッピング部１０を設けたスクリーン３が完成する。
【００３３】
なお、本実施例においては、スクリーン３を溶融したディッピング液に浸漬して、ディッピング層１０を形成しているが、これに限ることなく、例えば、粉体の樹脂（エポキシやナイロンなど）を用いてもよい。この場合、ディッピング層１０の形成領域以外の部分をマスキングした状態で、スクリーン３を粉体樹脂が収容されたディッピング槽に浸漬することで、ディッピング層１０の高さを所定寸法とすることができる。
【００３４】
当該スクリーン３を実施に応じた適宜のストレーナ１にセットすれば、ストレーナ１の使用中にスクリーン３が振動することなく、また、ストレーナ本体１やキャップ４のライニング面を損傷させることなく、しかも、組立性やメンテナンス性が良好であり、経済性にも優れたストレーナ１が実現される。
【産業上の利用可能性】
【００３５】
本発明によると、ストレーナ内の流体圧やスクリーン内の乱流や渦流等によって、スクリーンが振動することはなく、スクリーンの装着状態を確実に維持することが可能であり、スクリーンやストレーナ本体、キャップの損傷を防止すると共に、組立性やメンテナンス性が良好であり、長期に亘って安全に使用できる経済性にも優れたストレーナ及びストレーナ用スクリーンの製造方法として各種分野に提供可能であり、あらゆる配管ラインに適用することが可能である。
【図面の簡単な説明】
【００３６】
【図１】本発明におけるストレーナの一例を示した縦断面図である。
【図２】図１におけるＡ部の断面拡大斜視図である。
【図３】本発明におけるストレーナの他例を示した部分拡大断面図である。
【図４】ディッピング処理前のスクリーンの一例を示した断面図である。
【符号の説明】
【００３７】
１  ストレーナ本体（ストレーナ）
３  スクリーン
３ａ  先端部
３ｂ  後端部
４  キャップ
７  筒状体
７ａ  貫通孔
１０  ディッピング層
【図１】
2006326413.tif 000003
【図２】
2006326413.tif 000004
【図３】
2006326413.tif 000005
【図４】
2006326413.tif 000006